【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技領域内の第一入賞領域への遊技媒体の入賞に基づき第一抽選を実行する第一抽選実行手段と、
遊技領域内の第二入賞領域への遊技媒体の入賞に基づき第二抽選を実行する第二抽選実行手段と、
遊技媒体の検出に基づき普通抽選を実行し、抽選結果が所定の結果である場合に可動部材を動作させる可動抽選実行手段と、
前記第一抽選又は前記第二抽選に基づいて図柄の変動表示を実行可能な変動表示実行手段と、
前記第一抽選又は前記第二抽選に基づき、遊技状態に応じて異なる確率にて条件装置の作動を伴う遊技利益を付与可能な第一特定遊技を実行する第一特定遊技実行手段と、
前記第二抽選に基づき、条件装置の作動を伴わない前記第一特定遊技よりも少ない遊技利益を付与可能な第二特定遊技を実行する第二特定遊技実行手段と、
前記第一抽選実行手段によって特定の抽選結果が導出されたことに応じて実行される前記第一特定遊技の実行を契機に遊技状態を通常の遊技状態とは異なる特定の遊技状態に移行させる特定遊技状態移行手段と、
前記第一抽選実行手段によって特別の抽選結果が導出されたことに応じて実行される前記第一特定遊技の実行を契機に遊技状態を前記通常の遊技状態と前記特定の遊技状態とのいずれとも異なる特別の遊技状態に移行させる特別遊技状態移行手段と、
前記第二抽選に基づいて実行され得る変動表示を長時間とすることで当該第二特定遊技の実行頻度を抑制する抽選頻度抑制手段と、
前記特定の遊技状態における前記第二抽選に基づいて実行され得る変動表示を前記長時間よりも短い短時間とすることで当該第二特定遊技の実行頻度を高める抽選頻度向上手段と、
を備え、
前記特定の遊技状態は、前記可動抽選実行手段によって前記可動部材が動作される頻度が高められていないものの、前記通常の遊技状態よりも前記第一特定遊技が実行されることとなる抽選確率が高くされており、前記第二抽選に基づいて実行されえる前記第一特定遊技において付与される遊技利益よりも、前記抽選頻度向上手段によって前記第二抽選に基づく変動表示が前記短時間とされてから前記第一特定遊技が実行されるまでの期間に実行可能とされた複数回の前記第二特定遊技によって付与される遊技利益の合計が多くなることが望める遊技者にとってもっとも有利な抽選状態であり、
前記第二抽選に基づく変動表示の実行中に前記第一抽選に基づく変動表示を実行可能であり、
前記抽選頻度抑制手段により長時間とされた前記第二抽選に基づく変動表示の実行中に、前記第一抽選に基づく変動表示によって前記第一特定遊技が実行される特定の抽選結果が導出される場合には、実行されている前記第二抽選に基づく変動表示が途中であっても、当該特定の抽選結果が導出されるタイミングで前記第二抽選に基づく変動表示を停止させ得るものであり、
前記第一抽選及び前記第二抽選に基づいて演出表示を表示可能な演出実行手段を有し、
前記演出実行手段は、前記抽選頻度抑制手段によって変動表示が長時間とされた前記第二抽選に基づき前記第一特定遊技が実行される変動表示が行われる場合に、前記第二抽選の変動表示が長時間とされた状態における前記第一抽選では実行されることのない特別演出表示を前記第一抽選に基づく変動表示の実行中に表示可能であり、
前記特定の遊技状態は、前記第二特定遊技の実行後も終了されることなく継続されるものであり、前記特定の遊技状態及び前記第二特定遊技中のいずれにおいても所定の発射強度以上で遊技媒体を発射させることで遊技者が有利な状態を教授可能とされており、
前記特別の遊技状態は、前記特定の遊技状態と異なり、前記第二抽選実行手段の抽選に基づいて実行される前記第一特定遊技において付与される遊技利益よりも多くの遊技利益が複数回の前記第二特定遊技によって付与されえることが望めないものの、前記通常の遊技状態よりも前記第一特定遊技が実行されることとなる抽選確率が高くされているとともに、前記第一抽選が実行されえる頻度が高まるように前記可動抽選実行手段によって前記可動部材が動作される頻度が前記通常の遊技状態および前記特定の遊技状態よりも高められている
ことを特徴とする遊技機。
【手続補正２】
【補正対象書類名】明細書
【補正対象項目名】０００６
【補正方法】変更
【補正の内容】
【０００６】
本発明の代表的な遊技機の一形態では、遊技領域内の第一入賞領域への遊技媒体の入賞に基づき第一抽選を実行する第一抽選実行手段と、遊技領域内の第二入賞領域への遊技媒体の入賞に基づき第二抽選を実行する第二抽選実行手段と、遊技媒体の検出に基づき普通抽選を実行し、抽選結果が所定の結果である場合に可動部材を動作させる可動抽選実行手段と、前記第一抽選又は前記第二抽選に基づいて図柄の変動表示を実行可能な変動表示実行手段と、前記第一抽選又は前記第二抽選に基づき、遊技状態に応じて異なる確率にて条件装置の作動を伴う遊技利益を付与可能な第一特定遊技を実行する第一特定遊技実行手段と、前記第二抽選に基づき、条件装置の作動を伴わない前記第一特定遊技よりも少ない遊技利益を付与可能な第二特定遊技を実行する第二特定遊技実行手段と、前記第一抽選実行手段によって特定の抽選結果が導出されたことに応じて実行される前記第一特定遊技の実行を契機に遊技状態を通常の遊技状態とは異なる特定の遊技状態に移行させる特定遊技状態移行手段と、前記第一抽選実行手段によって特別の抽選結果が導出されたことに応じて実行される前記第一特定遊技の実行を契機に遊技状態を前記通常の遊技状態と前記特定の遊技状態とのいずれとも異なる特別の遊技状態に移行させる特別遊技状態移行手段と、前記第二抽選に基づいて実行され得る変動表示を長時間とすることで当該第二特定遊技の実行頻度を抑制する抽選頻度抑制手段と、前記特定の遊技状態における前記第二抽選に基づいて実行され得る変動表示を前記長時間よりも短い短時間とすることで当該第二特定遊技の実行頻度を高める抽選頻度向上手段と、を備え、前記特定の遊技状態は、前記可動抽選実行手段によって前記可動部材が動作される頻度が高められていないものの、前記通常の遊技状態よりも前記第一特定遊技が実行されることとなる抽選確率が高くされており、前記第二抽選に基づいて実行されえる前記第一特定遊技において付与される遊技利益よりも、前記抽選頻度向上手段によって前記第二抽選に基づく変動表示が前記短時間とされてから前記第一特定遊技が実行されるまでの期間に実行可能とされた複数回の前記第二特定遊技によって付与される遊技利益の合計が多くなることが望める遊技者にとってもっとも有利な抽選状態であり、前記第二抽選に基づく変動表示の実行中に前記第一抽選に基づく変動表示を実行可能であり、前記抽選頻度抑制手段により長時間とされた前記第二抽選に基づく変動表示の実行中に、前記第一抽選に基づく変動表示によって前記第一特定遊技が実行される特定の抽選結果が導出される場合には、実行されている前記第二抽選に基づく変動表示が途中であっても、当該特定の抽選結果が導出されるタイミングで前記第二抽選に基づく変動表示を停止させ得るものであり、前記第一抽選及び前記第二抽選に基づいて演出表示を表示可能な演出実行手段を有し、前記演出実行手段は、前記抽選頻度抑制手段によって変動表示が長時間とされた前記第二抽選に基づき前記第一特定遊技が実行される変動表示が行われる場合に、前記第二抽選の変動表示が長時間とされた状態における前記第一抽選では実行されることのない特別演出表示を前記第一抽選に基づく変動表示の実行中に表示可能であり、前記特定の遊技状態は、前記第二特定遊技の実行後も終了されることなく継続されるものであり、前記特定の遊技状態及び前記第二特定遊技中のいずれにおいても所定の発射強度以上で遊技媒体を発射させることで遊技者が有利な状態を教授可能とされており、前記特別の遊技状態は、前記特定の遊技状態と異なり、前記第二抽選実行手段の抽選に基づいて実行される前記第一特定遊技において付与される遊技利益よりも多くの遊技利益が複数回の前記第二特定遊技によって付与されえることが望めないものの、前記通常の遊技状態よりも前記第一特定遊技が実行されることとなる抽選確率が高くされているとともに、前記第一抽選が実行されえる頻度が高まるように前記可動抽選実行手段によって前記可動部材が動作される頻度が前記通常の遊技状態および前記特定の遊技状態よりも高められていることを特徴とする。